(57)【特許請求の範囲】
【請求項１】
物品を載置可能な平板状のデッキ部と、
前記デッキ部から下方に突出する複数の脚部とを備えるパレットであって、
パレット同士が上下に積み重ねられた場合に、上側に重ねられたパレットの前記脚部が収容される収容凹部を備え、
前記デッキ部の上面側において、上方に開口し、下方に凹む凹部が形成されることにより、当該凹部に対応する前記デッキ部の下面側において前記脚部が形成されるとともに、
前記凹部によって前記収容凹部が構成され、
前記デッキ部の外周縁に沿って形成される外周枠を備え、
前記外周枠は、
前記デッキ部の外周縁に沿って延在し、前記デッキ部の上面から上方に突出する上方突起と、
前記デッキ部の外周縁に沿って延在し、前記デッキ部の下面から下方に突出する下方突起と、
前記上方突起の上端部から前記デッキ部の外周側に突出する上フランジと、
前記下方突起の下端部から前記デッキ部の外周側に突出する下フランジとを備え、
上側のパレットの前記脚部が下側のパレットの前記収容凹部に収容されるようにして、パレット同士が上下に積み重ねられた場合に、下側のパレットの前記上フランジ上面と、上側のパレットの前記下フランジ下面とが上下方向において当接することを特徴とするパレット。
【請求項２】
前記外周枠は、前記上フランジの下面から、前記下フランジの上面にかけて直線状に延び、前記上フランジと、前記下フランジとの間を連結する縦リブを備えていることを特徴とする請求項１に記載のパレット。
【請求項３】
前記下方突起は、前記上方突起よりも、前記デッキ部の内周側に配置される構成であって、
前記外周枠は、前記下方突起を下方に延長させるようにして形成され、前記下フランジよりも下方に突出する枠下補強リブを備えていることを特徴とする請求項１又は２に記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、物品を載置可能な平板状のデッキ部と、デッキ部から下方に突出する複数の脚部とを備え、脚部間においてフォークリフトやハンドリフトのフォークを差込み可能なフォーク差込み部を有している。また、デッキ部の上面側において、上方に開口し、下方に凹む凹部が形成されることによって、デッキ部から下方に突出する前記脚部が形成されるとともに、パレット同士が上下に積み重ねられた場合に、上側に重ねられたパレットの脚部が前記凹部（収容凹部）に収容されるように構成されたパレット（ネスティングパレット）が知られている。さらに、かかるパレットに関しては、一般に、デッキ部に載せた物品の位置ずれや落下を防止するべく、デッキ部の外周縁から上方に突出する上方突起を備えている（例えば、特許文献１等参照。）。
【先行技術文献】
【特許文献】
【０００３】
【特許文献１】特開２００３−３４３３０号公報
【発明の概要】
【発明が解決しようとする課題】
【０００４】
しかしながら、上方突起は、例えば、物品を載置したパレットが傾いた場合に該物品を支持したり、物品等のパレットへの積み降ろし作業や、パレットの搬送作業に際して、物品やフォークリフト等のフォークに衝突されてしまったりする場合等において、（塑性）変形したり、破損したりすることが懸念される。また、上方突起の変形や破損に起因して、場合によっては、物品をデッキ部に載置させ難くなってしまったり、物品がデッキ部から落下し易くなってしまったりするおそれがある。
【０００５】
加えて、上記特許文献１には、上方突起を厚肉にする技術についても開示されている。しかしながら、かかる構成を採用する場合には、互いに肉厚が異なる上方突起と、その他の部位との成形収縮率の差に起因して上方突起がいびつに変形してしまうことが懸念される。
【０００６】
本発明は、上記例示した問題点等を解決するためになされたものであって、その目的は、ネスティング可能な構成において、上方突起の強度を好適に高め、耐久性の向上を図ることのできるパレットを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．物品を載置可能な平板状のデッキ部と、
前記デッキ部から下方に突出する複数の脚部とを備えるパレットであって、
パレット同士が上下に積み重ねられた場合に、上側に重ねられたパレットの前記脚部が収容される収容凹部を備え、
前記デッキ部の上面側において、上方に開口し、下方に凹む凹部が形成されることにより、当該凹部に対応する前記デッキ部の下面側において前記脚部が形成されるとともに、
前記凹部によって前記収容凹部が構成され、
前記デッキ部の外周縁に沿って形成される外周枠を備え、
前記外周枠は、
前記デッキ部の外周縁に沿って延在し、前記デッキ部の上面から上方に突出する上方突起と、
前記デッキ部の外周縁に沿って延在し、前記デッキ部の下面から下方に突出する下方突起と、
前記上方突起の上端部から前記デッキ部の外周側に突出する上フランジと、
前記下方突起の下端部から前記デッキ部の外周側に突出する下フランジとを備え、
上側のパレットの前記脚部が下側のパレットの前記収容凹部に収容されるようにして、パレット同士が上下に積み重ねられた場合に、下側のパレットの前記上フランジ上面と、上側のパレットの前記下フランジ下面とが上下方向において当接することを特徴とするパレット。
【０００９】
手段１によれば、上方突起の上端部からデッキ部の外周側に突出する上フランジが設けられることにより、上方突起の強度の向上等を図ることができる。従って、例えば、物品を載置した状態のパレットが傾いて物品が上方突起に圧接したり、物品をパレットに載置する際に該物品が外周枠（上方突起）に接触してしまったり、フォークリフトのフォークが外周枠（上方突起）に接触してしまったりする場合等において、上方突起の変形や破損等を抑制することができる。結果として、外周枠、ひいては、パレットの耐久性の向上を図ることができ、上方突起が（例えば、デッキ部内周側に傾くようにして）塑性変形することで物品をデッキ部に載置させ難くなってしまったり、上方突起が破損することで物品がデッキ部から落下し易くなってしまったりするといった事態等を回避することができる。
【００１０】
さらに、上方突起を厚肉にしなくても、上方突起の強度を高めることができることから、上方突起を比較的厚肉に形成することに起因して、パレットを成形した際に上方突起がいびつに変形してしまうといった事態を回避することができる。
【００１１】
また、上側のパレットの脚部を、下側のパレットの収容凹部に収容させるようにして、パレット同士を上下に積み重ねた（ネスティングした）場合には、下側のパレットの上フランジ上面と、上側のパレットの下フランジ下面とが上下方向において当接するように構成されている。このため、パレットをネスティングした場合に、上側のパレットの脚部が、下側のパレットの収容凹部に深く嵌り過ぎてしまい、ネスティング状態を解除し難くなってしまうといった事態を防止することができる。
【００１２】
さらに、例えば、上フランジ及び下フランジがなく、ネスティング時に下側のパレットの上方突起上端部と、上側のパレットの下方突起下端部とが当接するような構成に比べ、上下のパレットの外周枠同士の当接面積を増やすとともに、デッキ部の内外周方向において上下のパレット間に多少の位置ずれが生じても、外周枠同士の上下方向における当接状態を維持可能な許容範囲を増やすことができる。結果として、ネスティング状態の安定化を図るとともに、ネスティング時に下側のパレットの上方突起と、上側のパレットの下方突起とがデッキ部の内外周方向において当接してしまう（デッキ部の内外周方向において互いに押圧するような応力が発生する）ことに起因して、上方突起や下方突起が変形等してしまうといった事態を回避することができる。
【００１３】
手段２．前記外周枠は、前記上フランジの下面から、前記下フランジの上面にかけて直線状に延び、前記上フランジと、前記下フランジとの間を連結する縦リブを備えていることを特徴とする手段１に記載のパレット。
【００１４】
手段２によれば、外周枠の上下方向における圧縮強度をより一層高めることができる。従って、パレットに載置された物品の落下を防止したり、ネスティング時に上側に重ねられたパレットを支持したりするといった外周枠の機能をより一層強化することができる。尚、「前記縦リブは、前記上方突起、及び、前記下方突起とも連結されていること」としてもよい。この場合、外周枠の強度をさらに高めることができる。
【００１５】
手段３．前記下方突起は、前記上方突起よりも、前記デッキ部の内周側に配置される構成であって、
前記外周枠は、前記下方突起を下方に延長させるようにして形成され、前記下フランジよりも下方に突出する枠下補強リブを備えていることを特徴とする手段１又は２に記載のパレット。
【００１６】
手段３によれば、下フランジの強度を高め、ネスティング時の下フランジの変形を抑制することができる。従って、ネスティング状態の安定化等をより一層図ることができる。尚、「前記下方突起、及び、前記枠下補強リブは、前記デッキ部の下面から下方に突出するデッキリブと連結されていること」としてもよい。この場合、下方突起、及び、枠下補強リブの強度を高め、ひいては、下フランジ等の強度をより一層高めることができる。
【００１７】
また、例えば、「パレット同士が上下に積み重ねられたネスティング状態において、上側のパレットと、下側のパレットとが水平方向において位置ずれした場合に、上側のパレットの前記枠下補強リブと、下側のパレットの前記上方突起とが当接する前に、上側のパレットの前記脚部と、下側のパレットの前記収容凹部の内面とが当接し、それ以上の位置ずれが防止されるように構成されていること」としてもよい。この場合、ネスティングされたパレット同士の水平方向における位置ずれを、上側のパレットの脚部と、下側のパレットの収容凹部の内面とを当接させることで規制することができ、枠下補強リブ及び上方突起の（塑性）変形や破損等をより確実に防止することができる。
【図面の簡単な説明】
【００１８】
【図１】パレットの上面側を示す斜視図である。
【図２】パレットの下面側を示す斜視図である。
【図３】物品が載置されたパレットの斜視図である。
【図４】パレットの一部断面を含む斜視図である。
【図５】ネスティングされたパレットの正面図である。
【図６】ネスティングされたパレットの側面図である。
【図７】ネスティングされたパレットの一部断面を含む部分拡大斜視図である。
【発明を実施するための形態】
【００１９】
以下に、一実施形態について図面を参照して説明する。図１〜図３に示すように、パレット１は、平面視略四角状（略正方形状）をなし、物品１０（本実施形態では複数のコンテナ；図３参照）を載置可能な平板状のデッキ部２と、デッキ部２から下方に突出する複数の脚部３とを備えている。本実施形態の脚部３は、デッキ部２の相対する側辺部に沿って延在する一対の外脚部４と、当該一対の外脚部４の中間位置において各外脚部４と平行するようにして延在する内脚部５とを備えている。さらに、各外脚部４と内脚部５との間には、ハンドリフトやフォークリフトのフォークを差込み可能なフォーク差込み部６が形成されている。尚、本実施形態のパレット１は、ポリプロピレンによって一体的に形成されている。
【００２０】
また、脚部３は、デッキ部２の上面側において、上方に開口し、下方に凹む凹部が形成されることによって、当該凹部に対応するデッキ部２の下面側において形成されている。さらに、脚部３は、下方に向けて次第に縮径するテーパ状をなしている。そして、図５、図６、図７等に示すように、パレット１同士を同じ向きで上下に重ねた場合には、上側に重ねられたパレット１の脚部３を、下側のパレット１の前記凹部（以下、「収容凹部７」と称する）に収容することができる。このように、脚部３を収容凹部７に収容させるようにしてパレット１を積み重ねていく（ネスティングする）ことで、ネスティングされた複数のパレット１の高さを極力抑制することができる。
【００２１】
図２に示すように、デッキ部２の下面側には、デッキ部２の下面から下方に突出するデッキリブ８が設けられている。デッキリブ８は、脚部３が形成されていない範囲において、格子状に形成されている。また、デッキリブ８によって、各外脚部４と内脚部５との間が連結されるようにもなっている。
【００２２】
さて、図４、図７等に示すように、本実施形態のパレット１は、デッキ部２の外周縁に沿って形成される外周枠１１を備えている。外周枠１１は、デッキ部２の外周縁に沿って延在し、デッキ部２の上面から上方に突出する上方突起１２と、デッキ部２の外周縁に沿って延在し、デッキ部２の下面から下方に突出する下方突起１３と、上方突起１２の上辺部からデッキ部２の外周側に突出する上フランジ１４と、下方突起１３の下辺部からデッキ部２の外周側に突出する下フランジ１５とを備えている。
【００２３】
そして、図７に示すように、パレット１をネスティングさせた場合に、下側のパレット１の上フランジ１４上面と、上側のパレット１の下フランジ１５下面とが上下方向において当接するように構成されている。これにより、上側のパレット１は、その外周枠１１において、下側のパレット１の外周枠１１によって支持されるとともに、下側のパレット１の収容凹部７に対する上側のパレット１の脚部３の挿入量が規定されることとなる。本実施形態では、パレット１のネスティング状態において、基本的に、上側のパレット１の脚部３と、下側のパレット１の収容凹部７の内面とが圧接しない（水平方向において隙間ができる）ように構成されている。
【００２４】
加えて、図４、図７に示すように、収容凹部７において形成され、パレット１のネスティング状態において、上側のパレット１の脚部３の下面を支持可能な支持リブ９が設けられている。本実施形態では、パレット１をネスティングした場合に、下側のパレット１の外周枠１１上面（上フランジ１４上面）と、上側のパレット１の外周枠１１下面（下フランジ１５下面）とが当接するとともに、下側のパレット１の支持リブ９上辺部と、上側のパレット１の脚部３下面とが当接するように設定されている。これにより、支持リブ９が外周枠１１と協働して上側に重ねられたパレット１を支持することができ、ネスティング状態における外周枠１１の負担軽減、及び、上側に重ねられたパレット１の中央部側が下方に撓むような変形の防止等が図られるようになっている。
【００２５】
また、図２、図７に示すように、外周枠１１は、下方突起１３を下方に延長させるようにして形成され、下フランジ１５よりも下方に突出する枠下補強リブ１７を備えている。本実施形態の下方突起１３は、上方突起１２よりも、デッキ部２の内周側に配置されており、デッキ部２の外周縁（デッキ部２の対応する側辺部）よりもデッキ部２の内周側に変位した位置において、デッキ部２の側辺部と平行するようにして延在している。このため、パレット１をネスティングさせる場合に、上側のパレット１の枠下補強リブ１７と、下側のパレット１の上フランジ１４との干渉を避けることができ、上側のパレット１の下フランジ１５下面と、下側のパレット１の上フランジ１４上面とを確実に上下方向において当接させることができる。
【００２６】
尚、本実施形態では、上方突起１２についても、デッキ部２の対応する側辺部よりも若干デッキ部２の内周側に変位した位置において、デッキ部２の側辺部と平行するようにして延在している。さらに、上フランジ１４及び下フランジ１５は、その先端縁（外縁）が、デッキ部２の内外周方向において、デッキ部２の外周縁と同じ位置となるように構成されている。
【００２７】
また、図１等に示すように、本実施形態では、外周枠１１は、デッキ部２のうちフォーク差込み部６に対応する部位以外の部位に形成されている。加えて、図７に示すように、上方突起１２のデッキ部２上面からの突出長は、枠下補強リブ１７の下方突起１３（下フランジ１５下面）からの突出長よりも長くなっている。これらの構成により、図５に示すように、パレット１をネスティングした場合、下側のパレット１のデッキ部２のうち、フォーク差込み部６に対応して外周枠１１が形成されていない部位の上方において、上側のパレット１との間に隙間が形成されることとなる。そして、パレット１のネスティング状態を解除する際に、かかる隙間に指先を挿入して、上側のパレット１を持ち上げることが可能となる。
【００２８】
また、図２に示すように、枠下補強リブ１７の下縁部は、デッキリブ８の下縁部と同じ高さ位置となるように構成されている。さらに、下方突起１３、及び、枠下補強リブ１７は、当該下方突起１３、及び、枠下補強リブ１７に対して直交して延びるデッキリブ８と連結されており、特に、本実施形態の下方突起１３、及び、枠下補強リブ１７は、デッキリブ８を介して、脚部３と連結されるような格好となっている。
【００２９】
また、図７等に示すように、外周枠１１は、上フランジ１４の下面から、下フランジ１５の上面にかけて（途中でデッキ部２を上下に貫通するような格好で）直線状に延び、上フランジ１４と、下フランジ１５と、上方突起１２と、下方突起１３との間を連結する縦リブ１８と、上方突起１２の側辺部からデッキ部２の外周側に突出する側辺リブ１９とを備えている。本実施形態では、縦リブ１８は鉛直に延在しているのに対し、側辺リブ１９は、上方突起１２の側辺部が斜めに延びていることに対応して斜めに延在している。また、当該縦リブ１８、及び、側辺リブ１９の外縁に関しても、デッキ部２の内外周方向において、デッキ部２の外周縁と同じ位置となるように構成されている。
【００３０】
さらに、図７に示すように、本実施形態では、パレット１のネスティング状態において、上側のパレット１の所定の枠下補強リブ１７と、下側のパレット１の上方突起１２との間の距離が、上側のパレット１の脚部３の前記所定の枠下補強リブ１７側の面と、下側のパレット１の収容凹部７の内面との間の距離よりも長くなるように構成されている。これにより、パレット１のネスティング状態において、上側のパレット１と、下側のパレット１とが左右方向において位置ずれした場合に、上側のパレット１の枠下補強リブ１７と、下側のパレット１の上方突起１２とが当接する前に、上側のパレット１の脚部３と、下側のパレット１の収容凹部７の内面とが当接し、それ以上の位置ずれが防止されることとなる。
【００３１】
以上詳述したように、本実施形態によれば、上方突起１２の上端部からデッキ部２の外周側に突出する上フランジ１４が設けられることにより、上方突起１２の強度の向上等を図ることができる。従って、例えば、物品１０を載置した状態のパレット１が傾いて物品１０が上方突起１２に圧接したり、物品１０をパレット１に載置する際に該物品１０が外周枠１１（上方突起１２）に接触してしまったり、フォークリフトのフォークが外周枠１１（上方突起１２）に接触してしまったりする場合等において、上方突起１２の変形や破損等を抑制することができる。結果として、外周枠１１、ひいては、パレット１の耐久性の向上を図ることができ、上方突起１２が（例えば、デッキ部２内周側に傾くようにして）塑性変形することで物品１０をデッキ部２に載置させ難くなってしまったり、上方突起１２が破損することで物品１０がデッキ部２から落下し易くなってしまったりするといった事態等を回避することができる。
【００３２】
さらに、上方突起１２を厚肉にしなくても、上方突起１２の強度を高めることができることから、上方突起１２を比較的厚肉に形成することに起因して、パレット１を成形した際に上方突起１２がいびつに変形してしまうといった事態を回避することができる。
【００３３】
また、上側のパレット１の脚部３を、下側のパレット１の収容凹部７に収容させるようにして、パレット１同士を上下に積み重ねた（ネスティングした）場合には、下側のパレット１の上フランジ１４上面と、上側のパレット１の下フランジ１５下面とが上下方向において当接するように構成されている。このため、パレット１をネスティングした場合に、上側のパレット１の脚部３が、下側のパレット１の収容凹部７に深く嵌り過ぎてしまい、ネスティング状態を解除し難くなってしまう（脚部３を収容凹部７から抜き難くなってしまう）といった事態を防止することができる。
【００３４】
さらに、例えば、上フランジ１４及び下フランジ１５がなく、ネスティング時に下側のパレット１の上方突起１２上端部と、上側のパレット１の下方突起１３下端部とが当接するような構成に比べ、上下のパレット１の外周枠１１同士の当接面積を増やすとともに、デッキ部２の内外周方向において上下のパレット１間に多少の位置ずれが生じても、外周枠１１同士の上下方向における当接状態を維持可能な許容範囲を増やすことができる。結果として、ネスティング状態の安定化を図るとともに、ネスティング時に下側のパレット１の上方突起１２と、上側のパレット１の下方突起１３とがデッキ部２の内外周方向において当接してしまう（デッキ部２の内外周方向において互いに押圧するような応力が発生する）ことに起因して、上方突起１２や下方突起１３が変形等してしまうといった事態を回避することができる。
【００３５】
また、外周枠１１は、上フランジ１４の下面から、下フランジ１５の上面にかけて直線状に延び、上フランジ１４と、下フランジ１５と、上方突起１２と、下方突起１３との間を連結する縦リブ１８を備えている。このため、外周枠１１の上下方向における圧縮強度をより一層高めることができる。従って、パレット１に載置された物品１０の落下を防止したり、ネスティング時に上側に重ねられたパレット１を支持したりするといった外周枠１１の機能をより一層強化することができる。
【００３６】
さらに、外周枠１１は、下方突起１３を下方に延長させるようにして形成され、下フランジ１５よりも下方に突出する枠下補強リブ１７を備えている。このため、下フランジ１５の強度を高め、ネスティング時の下フランジ１５の変形を抑制することができる。特に、本実施形態では、下方突起１３、及び、枠下補強リブ１７が、デッキリブ８と連結され、さらには、かかるデッキリブ８を介して、脚部３と連結されるように構成されている。これにより、下方突起１３、及び、枠下補強リブ１７の強度を高め、ひいては、下フランジ１５等の強度をより一層高めることができる。加えて、下方突起１３及び枠下補強リブ１７と、脚部３との間を連結するデッキリブ８によって、デッキ部２のうち外周枠１１を支持する部位の強度を効果的に高めることができる。従って、外周枠１１の土台となる部位が変形・破損する等して、外周枠１１が全体的に傾く等してしまうといった事態を確実に防止することができる。結果として、ネスティング状態の安定化等をより一層図ることができる。
【００３７】
また、本実施形態では、パレット１のネスティング状態において、上側のパレット１と、下側のパレット１とが左右方向において位置ずれした場合に、上側のパレット１の枠下補強リブ１７と、下側のパレット１の上方突起１２とが当接する前に、上側のパレット１の脚部３と、下側のパレット１の収容凹部７の内面とが当接し、それ以上の位置ずれが防止されるように構成されている。このため、ネスティングされたパレット１同士の水平方向における位置ずれを、上側のパレット１の脚部３と、下側のパレット１の収容凹部７とを当接させることで規制することができ、枠下補強リブ１７及び上方突起１２の（塑性）変形や破損等を防止することができる。
【００３８】
尚、上記実施形態の記載内容に限定されず、例えば次のように実施してもよい。勿論、以下において例示しない他の応用例、変更例も当然可能である。
【００３９】
（ａ）上記実施形態において、脚部３の形状や配置等は特に限定されるものではなく、パレット毎に適宜設計変更可能である。例えば、上記実施形態では、パレット１の外周面を構成する４つの側面のうち２側面からフォークを差込み可能な２方差しタイプのパレット１に具体化されているが、パレット１の四隅に設けられる４本の隅脚部と、パレット１の側辺部に沿って並ぶ一対の隅脚部の中間部位に設けられる中間脚部と、パレット１の中央部に設けられる中央脚部とを備える４方差しタイプのパレットに具体化することも可能である。
【００４０】
（ｂ）上記実施形態では、デッキ部２の外周縁のうちフォーク差込み部６に対応する部位には外周枠１１が形成されないように構成されているが、外周枠１１の形成位置等は特に限定されるものではなく、例えば、デッキ部２の外周縁の全周にわたって形成することとしてもよい。
【００４１】
また、上記実施形態において、枠下補強リブ１７を省略することとしてもよい。この場合、デッキ部２の内外周方向における上方突起１２の位置と、下方突起１３の位置とをずらさなくても、ネスティング時に、下側のパレット１の上フランジ１４と、上側のパレット１の下フランジ１５とを当接させることができる。
【００４２】
さらに、上記実施形態において、縦リブ１８を省略したり、上フランジ１４の下面とデッキ部２上面との間を連結するリブと、下フランジ１５の上面とデッキ部２下面との間を連結するリブとをそれぞれ別の位置に設けたりすることも可能である。但し、上記実施形態のように、縦リブ１８を設けることにより、外周枠１１の上下方向における圧縮強度を効果的（むやみなリブの増加を抑制）、かつ、飛躍的に高めることができる。
【００４３】
（ｃ）上記実施形態において上方突起１２、下方突起１３、及び、枠下補強リブ１７の突出長は特に限定されるものではないが、損傷防止の観点から、枠下補強リブ１７がデッキリブ８よりも下方に突出しない構成とするのが望ましく、物品１０の落下防止の観点から、上方突起１２の突出長を極力確保する（例えば、下方突起１３の突出長よりも長くする）ことが望ましい。
【００４４】
（ｄ）上記実施形態では、パレット１をネスティングした場合に、下側のパレット１の上フランジ１４上面と、上側のパレット１の下フランジ１５下面とが当接するとともに、下側のパレット１の支持リブ９上辺部と、上側のパレット１の脚部３下面とが当接するように設定されているが、例えば、下側のパレット１の支持リブ９上辺部と、上側のパレット１の脚部３下面との間に若干の隙間（例えば、１ｍｍ程度）が形成されるように設定し、上側のパレット１が若干撓んだ間合いに当接するように構成してもよい。尚、支持リブ９を省略することも可能である。
【００４５】
（ｅ）上記実施形態では、パレット１はポリプロピレンにより構成されているが、ポリエチレン、ＰＥＴ、ポリアミド等その他の樹脂材料により構成されることとしてもよい。
【符号の説明】
【００４６】
１…パレット、２…デッキ部、３…脚部、７…収容凹部、１０…物品、１１…外周枠、１２…上方突起、１３…下方突起、１４…上フランジ、１５…下フランジ、１７…枠下補強リブ、１８…縦リブ。
【図１】
0006290051.tif 000002
【図２】
0006290051.tif 000003
【図３】
0006290051.tif 000004
【図４】
0006290051.tif 000005
【図５】
0006290051.tif 000006
【図６】
0006290051.tif 000007
【図７】
0006290051.tif 000008